(57)【要約】      （修正有）【課題】ルーバー材同士の間隔を均一に維持しながらルーバー材の移動及び間隔の調整を簡便に行え、しかも任意の位置・間隔においてルーバー材を連動して回転させて光や風の通過量を自由に調節できる装置の提供。【解決手段】相対向する２本のレール１ａ，１ｂと、複数のルーバー材２，２…と、前後の連結具３とを備え、複数のルーバー材は、長手方向の両端面から各々突出したガイド部材４，５により回転自在に且つレール長手方向に移動自在に各々配置する。連結具は、ルーバー材のガイド部材突設位置の前側及び後側に各々配置するものであり且つ取付部材６とパンタグラフ部材７とから成り、パンタグラフ部材は、リンク材２４と、リンク材を伸縮自在に繋ぐ連結軸１１，２１とから成り且つ連結軸により各対向片９に対して固定したものであり、ルーバー材同士が接近・離間自在であり且つ前後の連結具３の相反する方向への相対移動に連動して回転自在である。【選択図】図１
2005299351.tif 000002
【特許請求の範囲】
【請求項１】
相対向して配置する２本のレールと、複数のルーバー材と、前後の連結具とを備え、複数のルーバー材は、長手方向の両端面から各々突出したガイド部材により回転自在に且つレール長手方向に移動自在に各々配置するものであり、連結具は、ルーバー材のガイド部材突設位置の前側及び後側に各々配置するものであり且つ取付部材とパンタグラフ部材とから成り、取付部材は、ルーバー材にルーバー材長手方向の軸により軸着した取付片とパンタグラフ部材に対する対向片とを有し且つ各ルーバー材に取付けるものであり、パンタグラフ部材は、リンク材と、リンク材を伸縮自在に繋ぐ連結軸とから成り且つ連結軸により各対向片に固定したものであり、ルーバー材同士が接近・離間自在であり且つ前後の連結具の相反する方向への相対移動に連動して回転自在であることを特徴とするルーバー装置。
【請求項２】
ルーバー材は、ガイド部材突設位置よりも前側及び後側位置に端面から長手方向に向けて切除した前側切除部及び後側切除部を各々有し、前の連結具の少なくとも対向片とパンタグラフ部材とを前側切除部内に配置すると共に後の連結具の少なくとも対向片とパンタグラフ部材とを後側切除部内に配置してあることを特徴とする請求項１記載のルーバー装置。
【請求項３】
ルーバー材は、ガイド部材突設位置よりも前側及び後側位置にレール材長手方向に貫通する前側貫通孔及び後側貫通孔を各々有し、前の連結具を前側貫通孔に配置すると共に後の連結具を後側貫通孔に配置してあることを特徴とする請求項１記載のルーバー装置。
【発明の詳細な説明】
【技術分野】
【０００１】
本発明は、アパートやマンションのベランダ等に設置するのに適したルーバー装置に関するものである。
【背景技術】
【０００２】
アパートやマンションのベランダには、外からの視線を遮ってプライバシーを保護したり、強い日差しを和らげたりする目的で、目隠し材を設置することがある。そうした目隠し材は、必ずしも常時必要なものでもなく、天気の良い日に布団を干すときなど却って邪魔になるので、固定して設置したものより、位置を移動できたりコンパクトに仕舞えたりするものが望まれている。特許文献１には、窓の外壁に取付けた枠体の上下枠間に、複数の縦長のルーバー材を左右に移動自在且つ中心軸周りに回転自在に架設し、該複数のルーバー材を帯紐で繋いであり、先頭のルーバー材を手で持って移動させることでカーテンのように開閉でき、且つルーバー材を回転させることで光や風の通過量を可変できるようにした装置が開示されている。
【特許文献１】特開平２−２４３８９６号公報
【発明の開示】
【発明が解決しようとする課題】
【０００３】
しかし上記公報記載の装置は、各ルーバー材を帯紐で繋いだものであるため、ルーバー材の位置を全体的に移動させようとすれば、ルーバー材同士の間隔が広い所と狭い所ができて、機能性が低下する。また、ルーバー材同士の間隔が最大限に開き、帯紐がピンと張った状態でなければ、全てのルーバー材を連動して回転させることができない。本発明はこうした実情に鑑み、ルーバー材同士の間隔を均一に維持しながらルーバー材の移動及び間隔の調整を簡便に行え、しかも任意の位置・間隔においてルーバー材を連動して回転させて光や風の通過量を自由に調節できるルーバー装置の提供を目的とする。
【課題を解決するための手段】
【０００４】
上記課題を達成するために請求項１記載の発明によるルーバー装置は、相対向して配置する２本のレールと、複数のルーバー材と、前後の連結具とを備え、複数のルーバー材は、長手方向の両端面から各々突出したガイド部材により回転自在に且つレール長手方向に移動自在に各々配置するものであり、連結具は、ルーバー材のガイド部材突設位置の前側及び後側に各々配置するものであり且つ取付部材とパンタグラフ部材とから成り、取付部材は、ルーバー材にルーバー材長手方向の軸により軸着した取付片とパンタグラフ部材に対する対向片とを有し且つ各ルーバー材に取付けるものであり、パンタグラフ部材は、リンク材と、リンク材を伸縮自在に繋ぐ連結軸とから成り且つ連結軸により各対向片に固定したものであり、ルーバー材同士が接近・離間自在であり且つ前後の連結具の相反する方向への相対移動に連動して回転自在であることを特徴とする。
【０００５】
請求項２記載の発明によるルーバー装置は、ルーバー材は、ガイド部材突設位置よりも前側及び後側位置に端面から長手方向に向けて切除した前側切除部及び後側切除部を各々有し、前の連結具の少なくとも対向片とパンタグラフ部材とを前側切除部内に配置すると共に後の連結具の少なくとも対向片とパンタグラフ部材とを後側切除部内に配置してあることを特徴とする。
【０００６】
請求項３記載の発明によるルーバー装置は、ルーバー材は、ガイド部材突設位置よりも前側及び後側位置にレール材長手方向に貫通する前側貫通孔及び後側貫通孔を各々有し、前の連結具を前側貫通孔に配置すると共に後の連結具を後側貫通孔に配置してあることを特徴とする。
【発明の効果】
【０００７】
請求項１記載の発明によるルーバー装置は、複数のルーバー材が対向配置した２本のレール間に回転自在且つレール長手方向に移動自在に配置され、各ルーバー材の前と後をパンタグラフ部材を用いた連結具によりそれぞれ繋いであるので、ルーバー材同士の間隔を均一に保ちつつ、複数のルーバー材を全体的にレールの長手方向に広範囲に移動させ、且つルーバー材同士の間隔を調整し、ルーバー材によって隠す範囲を拡大・縮小でき、同時に複数のルーバー材を連動して回転させて光や風の通過量を調節できる。
【０００８】
さらに請求項２記載の発明によるルーバー装置は、パンタグラフ部材をルーバー材の端面から長手方向に設けた切除部内に配置したので、パンタグラフ部材が目立たず、意匠性が向上する。
【０００９】
請求項３記載の発明によるルーバー装置は、ルーバー材の前側と後側に設けた貫通孔に前後の連結具をそれぞれ配置したので、ルーバー材に端面から切除部を設けた場合よりもさらに外観意匠が向上し、ルーバー材端部の強度低下を防いで破損を防止できる。
【発明を実施するための最良の形態】
【００１０】
以下、本発明の実施の形態を図面に基づいて説明する。図１〜図５は、本発明のルーバー装置の一実施形態を示している。このルーバー装置は、図３と図５に示すように、アパート・マンションのベランダの室外側に設置するもので、上下２本のレール１ａ，１ｂが庇１４の下縁とベランダの前壁１５の上縁の室外側面に相対向してそれぞれ設置され、上下レール間に複数のルーバー材２，２…を回転自在に且つレール長手方向に移動自在に配設してあり、各ルーバー材２は、その上部と下部の前側と後側の計四箇所を、パンタグラフ部材を用いた連結具３により繋いである。以下、各部の構造を詳細に説明する。
【００１１】
上レール１ａと下レール１ｂは、図３に示すように、矩形断面の長尺材の一面に長手方向に開口部を設けたもので、お互いの開口部を対向させて、Ｌ形の取付金具１６を用いて外壁面にビスで取付けてある。各レール１ａ，１ｂは、カバー材１７で覆ってある。
【００１２】
ルーバー材２は、樹脂等の軽量な材質からなる帯板状の部材で、図４に示すように、前側（屋外側）の厚みを後側（屋内側）よりも薄くしてある。ルーバー材２の上端面の略中央部には、図１や図３に示すように、両側に車輪１８を備えた上ガイド部材４を取付ネジ１９により回転可能に取付けてあり、ルーバー材２の下端面の略中央部には丸棒状の下ガイド部材５を突出して設けてある。ルーバー材２は、図３に示すように、上ガイド部材４を上レール１ａに係合して吊下げられ、下ガイド部材５を下レール１ｂ内に挿入して止め輪２０で抜け止めして設置してあり、ルーバー材２は上下ガイド部材４，５を中心軸として回転し、且つレール長手方向に移動自在となっている。またルーバー材２は、上端面における上ガイド部材突設位置よりも前側及び後側位置において、上端面から長手方向に向けて切除した前側切除部１２及び後側切除部１３を有している。ルーバー材２の下部側にも、同じように前側切除部１２と後側切除部１３を有している。各ルーバー材を繋ぐ連結具３は、前側切除部１２と後側切除部１３に収容して設けてある。
【００１３】
連結具３は、複数のルーバー材に亘って水平に配置したパンタグラフ部材７と、パンタグラフ部材７をルーバー材２に取付ける取付部材６とから成る。パンタグラフ部材７は、図１と図２に示すように、二本のリンク材２４，２４を重ね、中心部で中心連結軸１１により連結してなる複数のＸ字状部材１０，１０…を、端部同士で端部連結軸２１により順次繋いで伸縮自在に構成したものである。取付部材６は、ルーバー材２への取付片８と、パンタグラフ部材７に対する対向片９とを有しており、図３に示すように、取付片８をルーバー材２の上端面と下端面のガイド部材突設位置の前側と後側の位置に、上下方向の取付ネジ２２により回転自在に軸着してあり、対向片９は取付片８の先端部よりルーバー材２の長手方向に延設され、ルーバー材２の前側切除部１２内と後側切除部１３内に配置してある。そして各対向片９の先端部に、パンタグラフ部材７の各中心連結軸１１をそれぞれ固定してある。
【００１４】
本ルーバー装置は以上のように構成され、図５に示すように、右端ないし左端のルーバー材２を手で持ち、レール１ａ，１ｂの長手方向に押したり引いたりすれば、パンタグラフ部材７が伸縮するのに伴ってルーバー材２同士の間隔が一斉に拡大・縮小し、複数のルーバー材２，２…はアコーディオン状に開いたり閉じたりする。なお、図１は最も開いたときの状態を示しており、最も閉じた時には図２に示すようにルーバー材２同士が密着する。また、任意の二つのルーバー材２、例えば両端の二つを手で持ってレール１ａ，１ｂの長手方向に動かせば、複数のルーバー材２，２…をレール１ａ，１ｂに沿って全体的に動かすことができる。その際、パンタグラフ部材７の伸び具合が一定に保持されるため、ルーバー材２同士の間隔は均一に保持される。さらに、ルーバー材２を手で持って回転させれば、図４（ｂ）に示すように前後のパンタグラフ部材７が相反する方向に相対移動し、その動きに連動して全てのルーバー材２，２…が連動して回転し、ルーバー材２間の光や風の通過量を調整できる。この回転操作は、ルーバー材２の開き具合や位置によらず行うことができる。これらのルーバー材２の操作をより行いやすくするため、ルーバー材２や連結具３にハンドルを取付けてもよい。
【００１５】
このように本ルーバー装置は、ルーバー材２によって隠す範囲の拡大・縮小、及びその範囲の移動、ルーバー材２の角度変更による光や風の通過量の調整を簡便に行えるので、必要なときに任意の位置で、防犯、遮視、遮光、遮熱が自在にコントロールでき、ベランダの目隠しとして非常に便利に使用できる。
【００１６】
図６は、パンタグラフ部材７のルーバー材２への取付け方の別の例を示している。図６（ａ）において、使用しているパンタグラフ部材７と取付部材６は既に説明したものと同様であるが、ルーバー材２に前側切除部１２と後側切除部１３を設けず、取付部材６の対向片９とパンタグラフ部材７を、ルーバー材２の前側と後側に、外に出して設置している点が異なる。また図６（ｂ）のものは、パンタグラフ部材７の形態は既に説明したものと同様であるが、取付部材６の形態が異なる。取付部材６は、対向片９と取付片８をそれぞれ有する二つのＬ形の金具を、取付片９の部分で上下方向の軸体２３により軸着して蝶番状に形成してあり、二つの対向片９のうちの一方をルーバー材２の前側と後側の端面にネジ止めし、もう一方の対向片９にパンタグラフ部材７のＸ字状部材１０の中心連結軸１１を固定している。
【００１７】
図７〜図９は、本発明のルーバー装置の第二実施形態を示している。ルーバー材２の上部と下部には、図７に示すように、ガイド部材４の前側と後側の位置に前側貫通孔２５と後側貫通孔２６をそれぞれ形成してあり、前の連結具３を前側貫通孔２５に配置し、後の連結具３を後側貫通孔２６に配置している。両貫通孔２５，２６を構成する両側の縦壁部には、図８に示すように、断面山形となるように傾斜面３０を形成してあり、これによりルーバー材２が回転したときにルーバー材２とパンタグラフ部材７との干渉が避けられ、ルーバー材２の回転角度をより大きくできる。パンタグラフ部材７は、先に説明したものと同じように、複数のリンク材２４を中心連結軸１１と端部連結軸２１で連結して、レール材長手方向に伸縮自在に構成してある。取付部材６は、図７に示すように上下の取付片８，８と対向片９とでコ字状に形成され、取付片８，８をルーバー材の貫通孔２５，２６のガイド部材４側の縦壁部の中間高さ位置に上下方向の取付ネジ２９で回転自在に軸着してあり、取付部材の対向片９には、図９に示すように、パンタグラフ部材７の各中心連結軸１１を固定して設けてある。
【００１８】
このように、ルーバー材に貫通孔２５，２６を設けて連結具３を配置した場合には、ルーバー材２の外周に切除部や取付部材が露出せず、本ルーバー装置を上下方向から見たときでも連結具３が目立たなくなり、外観意匠がさらに向上する。
【００１９】
図１０と図１１は、本発明のルーバー装置の第三実施形態を示している。ルーバー材２の上部と下部には、第二実施形態のものと同様に前側貫通孔２５と後側貫通孔２６を設けてあり、各貫通孔内に連結具３を配置してある。各貫通孔２５，２６内には上下方向に設けた軸体２７を有し、軸体２７に二つのコ字状の取付部材取付部材６ａ，６ｂを回転自在に軸着してある。また、上側の取付部材６ａは軸体２７に止め輪２８で高さを固定して設けてあり、下側の取付部材６ｂは軸体２７に沿って上下に移動自在にしてある。そして図１１に示すように、上側の高さを固定した取付部材６ａの対向片９に、パンタグラフ部材７の上側の端部連結軸２１を固定し、下側の上下に移動する取付部材６ｂの対向片９に、パンタグラフ部材７の下側の端部連結軸２１を固定してある。このように構成した場合でも、パンタグラフ部材７を伸縮させてルーバー材２の間隔を適宜調整できるし、前後のパンタグラフ部材７の相対移動に連動して複数のルーバー材２を一括して回転できる。
【００２０】
本発明のルーバー装置は以上に述べた実施形態に限定されない。例えば、２本のレールを上下方向で対向設置し、複数のルーバー材をレール間に横長の姿勢で配設したものであってもよい。設置する場所についてもベランダに限定されるものではなく、通常のルーバー装置のように窓の室外側や室内側に設置することもできる。パンタグラフ部材は、リンク材を連結軸で繋いでレール長手方向に伸縮自在に構成したものであればよく、その形態は特に限定されない。
【図面の簡単な説明】
【００２１】
【図１】連結具で繋いだ複数のルーバー材の上部を一部切断して示す正面図であって、ルーバー材同士の間隔を最大限に開いた時の状態を示している。
【図２】連結具で繋いだ複数のルーバー材の上部を一部切断して示す正面図であって、ルーバー材同士を密着させた時の状態を示している。
【図３】本発明のルーバー装置の縦断面図である。
【図４（ａ）（ｂ）】複数のルーバー材の平面図であって、（ａ）はルーバー材をまっすぐにした時の状態、（ｂ）はルーバー材を斜めに傾けた時の状態を示している。
【図５】本発明のルーバー装置の一実施形態を示す正面図である。
【図６（ａ）（ｂ）】パンタグラフ部材をルーバー材に取付ける部分の構造の他の例を示すルーバー材下部の側面図である。
【図７】本発明のルーバー装置の第二実施形態に係るルーバー材上部の側面図である。
【図８（ａ）（ｂ）】第二実施形態に係る横断面図である。
【図９】第二実施形態に係る縦断面図である。
【図１０】本発明のルーバー装置の第三実施形態に係るルーバー材上部の側面図である。
【図１１（ａ）（ｂ）】第三実施形態に係る縦断面図であって、（ａ）はルーバー材同士の間隔を開いた状態、（ｂ）はルーバー材同士を密着した状態を示している。
【符号の説明】
【００２２】
１ａ  上レール（レール）
１ｂ  下レール（レール）
２  ルーバー材
３  連結具
４  上ガイド部材（ガイド部材）
５  下ガイド部材（ガイド部材）
６，６ａ，６ｂ  取付部材
７  パンタグラフ部材
８  取付片
９  対向片
１０  Ｘ字状部材
１１  中心連結軸（連結軸）
１２  前側切除部
１３  後側切除部
２１  端部連結軸
２２，２９  取付ネジ（軸）
２３，２７  軸体（軸）
２４  リンク材
２５  前側貫通孔
２６  後側貫通孔
【図１】
2005299351.tif 000003
【図２】
2005299351.tif 000004
【図３】
2005299351.tif 000005
【図４（ａ）（ｂ）】
2005299351.tif 000006
【図５】
2005299351.tif 000007
【図６（ａ）（ｂ）】
2005299351.tif 000008
【図７】
2005299351.tif 000009
【図８（ａ）（ｂ）】
2005299351.tif 000010
【図９】
2005299351.tif 000011
【図１０】
2005299351.tif 000012
【図１１（ａ）（ｂ）】
2005299351.tif 000013